(57)【要約】【課題】室内等の空間の塵埃をフィルターにより集塵する送風装置のフィルターの目詰まりを検知する装置を提供することを目的とする。【解決手段】送風装置１の空気流路に集塵手段４と、集塵手段４の下流側に集塵手段４の変位を検知する検知手段８と、この検知手段８の検知信号により送風手段７を制御する制御手段９を備えたものであり、フィルターが目詰まりすることによってフィルターが下流方向に湾曲し、このフィルターの変位を検知することでフィルターの目詰まりを検知し送風停止することができる。【選択図】図１
2011085335.tif 000002
【特許請求の範囲】
【請求項１】
送風装置の空気流路に集塵手段と、集塵手段の下流側に集塵手段の変位を検知する検知手段と、この検知手段の検知信号により送風手段を制御する制御手段を備えたことを特徴とする送風装置のフィルター目詰まり検知装置。
【請求項２】
検知手段は、空気流路に発光素子の光を反射する反射手段を備え、反射する光を検知することを特徴とする請求項１記載の送風装置のフィルター目詰まり検知装置。
【請求項３】
報知手段を備え、制御手段は検知手段の検知信号により報知手段を制御する構成とする請求項１から２記載の送風装置のフィルター目詰まり検知装置。
【請求項４】
第２の報知手段を備え、制御手段は検知手段の検知信号により第２の報知手段を制御する構成とする請求項３記載の送風装置のフィルター目詰まり検知装置。
【請求項５】
集塵手段は、集塵部と検知膜を備え、検知膜の変位を検知する検知手段と、この検知手段の検知信号により送風手段を制御する制御手段を備えたことを特徴とする請求項１から４記載の送風装置のフィルター目詰まり検知装置。
【請求項６】
集塵手段は、遮蔽手段を備え、遮蔽手段の有無を検知する検知手段と、この検知手段の検知信号により送風手段を制御する制御手段を備えたことを特徴とする請求項１から４記載の送風装置のフィルター目詰まり検知装置。
【請求項７】
検知手段は、送風手段の運転開始後、一定期間検知手段により検知をするタイマー手段ことを特徴とする請求項１から６送風装置のフィルター目詰まり検知装置。
【請求項８】
検知手段は、送風手段の運転風量に応じて検知をする運転判定手段を備えたことを特徴とする請求項１から７送風装置のフィルター目詰まり検知装置。
【発明の詳細な説明】
【技術分野】
【０００１】
本発明は、室内等の空間の塵埃をフィルターにより集塵する送風装置のフィルター目詰まり検知装置に関するものである。
【背景技術】
【０００２】
従来、この種のフィルターの目詰まり検知装置の一例として、フィルターを挟んで斜めに対向させて目詰まり検知手段の発光部と受光部により目詰まりを検知するものが知られている（例えば特許文献１参照）。
【０００３】
以下、フィルター目詰まり検知装置について図１０を参照しながら説明する。
【０００４】
図１０に示すように、フィルター１０１の空気通過方向に交差するように光を透過させ、且つ透過した光量を計量してフィルター１０１の目詰まりを検知する目詰まり検知手段１０２により構成されている。装置を運転することによってフィルター１０１に付着する塵埃は使用時間を重ねるにしたがってその量を増やす。そしてフィルター１０１を片側から他面側に透過する光量は付着した塵埃の量が増えると逆に減少する。一方、フィルター１０１を透過させる光の方向を、フィルター１０１を通過する空気の通過方向に交差するようにさせることでフィルター１０１での交差部分には他の部分と同様に塵埃が付着する。このため目詰まり検知手段１０２でフィルター１０１を透過した光量を計量することでフィルター１０１の掃除の時期を容易に判断するようにしている。
【先行技術文献】
【特許文献】
【０００５】
【特許文献１】特開平５−６０３５８号公報
【発明の概要】
【発明が解決しようとする課題】
【０００６】
このような従来の図１１のフィルター目詰まり検知装置では、検知手段の発光部がフィルターの上流側にあるため、発光部の表面が塵埃により汚れ光量が低下することにより、フィルターに塵埃が付着し目詰まりしないうちに受光量が低下し、装置の運転を停止してしまうという課題がある。
【０００７】
本発明は、上記従来の課題を解決するもので、このような課題を考慮し送風装置のフィルターの目詰まりを検出することができる装置を提供することを目的としている。
【課題を解決するための手段】
【０００８】
本発明の送風装置のフィルター目詰まり検知装置は、上記目的を達成するために、送風装置の空気流路に集塵手段と、集塵手段の下流側に集塵手段の変位を検知する検知手段と、この検知手段の検知信号により送風手段を制御する制御手段を備えた構成としたものである。
【０００９】
この手段により、フィルターが目詰まりすることによってフィルターに負荷が掛かり下流方向に湾曲する。このフィルターの変位により受光素子への光が遮断されフィルターの目詰まりを検知し送風停止することができる送風装置のフィルター目詰まり検知装置が得られる。
【００１０】
また、他の手段は、検知手段は、空気流路に発光素子の光を反射する反射手段を備え、反射する光を検知する構成としたものである。
【００１１】
この手段により、フィルターが目詰まりすることによってフィルターに負荷が掛かり下流方向に湾曲する。このフィルターの変位により光の反射が遮断されフィルターの目詰まりを検知し送風停止することができる送風装置のフィルター目詰まり検知装置が得られる。
【００１２】
また、他の手段は、報知手段を備え、制御手段は検知手段の検知信号により報知手段を制御する構成としたものである。
【００１３】
この手段により、フィルターが目詰まりしたことを報知手段により報知することができる送風装置のフィルター目詰まり検知装置が得られる。
【００１４】
また、他の手段は、第２の報知手段を備え、制御手段は検知手段の検知信号により第２の報知手段を制御する構成としたものである。
【００１５】
この手段により、フィルターが目詰まりしたことを第２の報知手段により報知することができる送風装置のフィルター目詰まり検知装置が得られる。
【００１６】
また、他の手段は、集塵手段は、集塵部と検知膜を備え、検知膜の変位を検知する検知手段と、この検知手段の検知信号により送風手段を制御する制御手段を備えた構成としたものである。
【００１７】
この手段により、フィルターが目詰まりすることによってフィルターを通過する風量が低下するとともに、検知膜は下流方向に湾曲する変位量が減少する。この検知膜の変位を検知することでフィルターの目詰まりを検知し、報知手段により報知することができる送風装置のフィルター目詰まり検知装置が得られる。
【００１８】
また、他の手段は、集塵手段は、遮蔽手段を備え、遮蔽手段の有無を検知する検知手段と、この検知手段の検知信号により送風手段を制御する制御手段を備えた構成としたものである。
【００１９】
この手段により、フィルターが目詰まりすることによってフィルターを通過する風量が低下するとともに、遮蔽手段は下流方向に傾く角度が小さくなり、この遮蔽手段の変位を検知することでフィルターの目詰まりを検知し、報知手段により報知することができる送風装置のフィルター目詰まり検知装置が得られる。
【００２０】
また、他の手段は、検知手段は、送風手段の運転開始後、一定期間検知手段により検知をするタイマー手段を備えた構成としたものである。
【００２１】
この手段により、運転開始後の一定期間でフィルターの目詰まりを検知し、常時検知手段に通電することなく、消費電力を低減することができる送風装置のフィルター目詰まり検知装置が得られる。
【００２２】
また、他の手段は、検知手段は、送風手段の運転風量に応じて検知をする運転比較手段を備えた構成としたものである。
【００２３】
この手段により、最大風量で運転するときにのみ検知手段によりフィルターの目詰まりを検知することができる送風装置のフィルター目詰まり検知装置が得られる。
【発明の効果】
【００２４】
本発明によれば、送風装置の空気流路に集塵手段と、集塵手段の下流側に集塵手段の変位を検知する検知手段と、この検知手段の検知信号により送風手段を制御する制御手段を備えた構成としたことにより、フィルターが目詰まりすることによってフィルターが下流方向に湾曲し、このフィルターの変位を検知することでフィルターの目詰まりを検知し送風停止することができる。
【図面の簡単な説明】
【００２５】
【図１】本発明の実施の形態１の送風装置のフィルター目詰まり検知装置の構成を示す側面概略図
【図２】同実施の形態１のフィルター枠の構成を示す斜視概略図
【図３】同実施の形態１の送風装置のフィルター目詰まり検知装置の構成を示す側面概略図
【図４】同実施の形態１の送風装置のフィルター目詰まり検知装置の構成を示す側面概略図
【図５】同実施の形態１の送風装置のフィルター目詰まり検知装置の構成を示す側面概略図
【図６】同実施の形態１の送風装置のフィルター目詰まり検知装置の構成を示す側面概略図
【図７】同実施の形態２の送風装置のフィルター目詰まり検知装置の構成を示す側面概略図
【図８】同実施の形態２の送風装置のフィルター目詰まり検知装置の構成を示す側面概略図
【図９】同実施の形態３の送風装置のフィルター目詰まり検知装置のフローチャート
【図１０】同実施の形態３の送風装置のフィルター目詰まり検知装置のフローチャート
【図１１】従来の空気調和装置の構成図
【発明を実施するための形態】
【００２６】
本発明の請求項１記載の発明は、送風装置の空気流路に集塵手段と、集塵手段の下流側に集塵手段の変位を検知する検知手段と、この検知手段の検知信号により送風手段を制御する制御手段を備えたものであり、フィルターが目詰まりすることによってフィルターに負荷が掛かり下流方向に湾曲する。このフィルターの変位により受光素子への光が遮断されフィルターの目詰まりを検知し送風停止することができる。
【００２７】
また、請求項２記載の発明は、検知手段は、空気流路に発光素子の光を反射する反射手段を備え、反射する光を検知するものであり、フィルターが目詰まりすることによってフィルターが下流方向に湾曲する。このフィルターの変位により光の反射が遮られフィルターの目詰まりを検知し送風停止することができる。
【００２８】
また、請求項３記載の発明は、報知手段を備え、制御手段は検知手段の検知信号により報知手段を制御するものであり、フィルターが目詰まりしたことを報知手段により報知することができる。
【００２９】
また、請求項４記載の発明は、第２の報知手段を備え、制御手段は検知手段の検知信号により第２の報知手段を制御するものであり、フィルターが目詰まりしたことを第２の報知手段により報知することができる。
【００３０】
また、請求項５記載の発明は、集塵手段は、集塵部と検知膜を備え、検知膜の変位を検知する検知手段と、この検知手段の検知信号により送風手段を制御する制御手段を備えたものであり、フィルターが目詰まりすることによってフィルターを通過する風量が低下するとともに、遮蔽手段は下流方向に湾曲する変位量が減少する。この遮蔽手段を検知することでフィルターの目詰まりを検知し、報知手段により報知することができる。
【００３１】
また、請求項６記載の発明は、集塵手段は、遮蔽手段を備え、遮蔽手段の有無を検知する検知手段と、この検知手段の検知信号により送風手段を制御する制御手段を備えたものであり、フィルターが目詰まりすることによってフィルターを通過する風量が低下するとともに、遮蔽手段は下流方向に靡く角度が小さくなり、この遮蔽手段の変位を検知することでフィルターの目詰まりを検知し、報知手段により報知することができる。
【００３２】
また、請求項７記載の発明は、検知手段は、送風手段の運転開始後、一定期間検知手段を検知するタイマー手段を供えたものであり、運転開始後の一定期間でフィルターの目詰まりを検知し、常時検知手段に通電することなく、消費電力を低減することができる。
【００３３】
また、請求項８記載の発明は、検知手段は、送風手段の運転風量に応じて検知をする運転比較手段を備えたものであり、最大風量で運転するときにのみ検知手段によりフィルターの目詰まりを検知することができる。
【００３４】
以下、本発明の実施の形態について図面を参照しながら説明する。
【００３５】
（実施の形態１）
図１は本願発明における送風装置のフィルター目詰まり検知装置の構成を示す側面概略図、図２はフィルター枠の構成を示す斜視概略図、図３、４は送風装置のフィルター目詰まり検知装置の構成を示す側面概略図である。
【００３６】
図１から図３に示すように、送風装置１は吸込口２と吹出口３を連通した空気流路に吸込口２から吸込まれた空気中の塵埃を集塵する集塵手段４としてフィルターが設けられている。このフィルターはプリーツ折りしたポリプロピレンやガラス繊維から形成されている。集塵手段４を保持する紙枠で形成されたフィルター枠５は、紙枠の四辺と集塵手段４がフィルター枠５内で吹出方向に変位したときに集塵手段４の対向する二辺を保持する保持枠６が設けられている。集塵手段４は、このフィルター枠５に上下を固定して嵌め込まれている。この集塵手段４の下流側には、送風手段７としてファンモーターが設けられている。集塵手段４の変位を検知する検知手段８として発光素子と受光素子は、集塵手段４の吹出側空気流路の外郭に対向配置している。つまり発光素子と受光素子の光軸は、前記集塵手段４の対向する二辺間にあって保持枠６に並行に配置している。集塵手段４の変位を検出する検知手段８の信号は、送風手段７を制御する制御手段９に接続されている。
【００３７】
また、図４は送風装置のフィルター目詰まり検知装置の構成を示す側面概略図である。図４に示すように、図１の構成に加えて、制御手段９に検知手段８の検知信号により送風装置１外部に報知する報知手段１２として発光ＬＥＤが設けられている。
【００３８】
また、図５は送風装置のフィルター目詰まり検知装置の構成を示す側面概略図である。図５に示すように、図４の構成に加えて、制御手段９に検知手段８の検知信号により送風装置外部に報知する第２の報知手段１３としてブザーが設けられている。
【００３９】
上記構成において、運転開始信号が制御手段９に送られると送風手段７に通電し送風手段７の運転を開始する。吸込口２から吸込まれた塵埃を含んだ空気は、集塵手段４により捕集される。塵埃を取り除かれた空気は、吹出口３から送風装置１外へ放出される。集塵手段４に塵埃が捕集され堆積して集塵手段４が目詰りすると、フィルターへの圧力が増え集塵手段４は、図３に示すように次第に保持枠６の方向に湾曲していく。検知手段８の発光素子の光は、対向する受光素子で受光しており、集塵手段４が湾曲することにより発光素子の光が遮断されると検知信号により制御手段９は送風手段７の運転を停止することができる。
【００４０】
なお、上記実施例の検知手段８として発光素子と受光素子を用いたが、図４に示すように受発光素子１０に対向する本体外郭に受光素子の光を反射する反射手段１１を配置しても、集塵手段４に塵埃が捕集され堆積して集塵手段４が目詰りすると、フィルターへの圧力が増え集塵手段４は、図３に示すように次第に保持枠６の方向に湾曲することにより発光素子の光が遮断され、遮断された検知信号により制御手段９は送風手段７の運転を停止することができる。
【００４１】
また、制御手段９は検知手段８の検知信号により報知手段１２を制御し、フィルターが目詰まりしたことを報知手段１２により送風装置の外部にＬＥＤの発光として報知することができる。
【００４２】
また、制御手段９は検知手段８の検知信号により第２の報知手段１３を制御するものであり、フィルターが目詰まりしたことを第２の報知手段１３により送風装置の外部に音として報知することができる。
【００４３】
（実施の形態２）
次に、本発明の実施の形態２について図面を参照しながら説明する。なお、実施の形態１と同一のものは同一番号を付し、その詳細な説明を省略する。
【００４４】
図７は送風装置のフィルター目詰まり検知装置の構成を示す側面概略図である。
【００４５】
図７に示すように、図１の構成に集塵手段４は、集塵部と検知膜１４としてポリプロピレンの厚さ０．１ｍｍ〜１．０ｍｍの薄く柔軟性のある不織布の一部に発光素子の光を遮蔽するフィルム形状のポリエステルに金属薄膜を形成したものや偏光フィルターを貼り付けている。検知膜１４の変位を検知する検知手段８として発光素子と受光素子は、集塵手段４の吹出側空気流路の外郭に対向配置している。検知膜１４の変位を検出する検知手段８の信号は、送風手段７を制御する制御手段９に接続されている。
【００４６】
上記構成において、運転開始信号が制御手段９に送られると送風手段７に通電し送風手段７の運転を開始する。吸込口２から吸込まれた塵埃を含んだ空気は、集塵手段４により捕集される。塵埃を取り除かれた空気は、吹出口３から送風装置１外へ放出される。集塵手段４の検知膜１４は、集塵手段４を通過する風量によって吹出方向へ小風量でも安定して膨らみ検知膜１４の不織布の一部に発光素子の光を遮蔽するフィルム形状のポリエステルに金属薄膜を形成したものや偏光フィルターにより検知手段８の発光素子の光は遮断される。集塵手段４に塵埃が捕集され堆積して集塵手段４が目詰りすると、集塵手段４を通過する風量が低下し、検知膜１４の膨らみは縮んでいく。検知膜１４により発光素子の光が遮断されなくなれば、受光素子で受光し検知信号により制御手段９は送風手段７の運転を停止することができる。
【００４７】
（実施の形態３）
次に、本発明の実施の形態３について図面を参照しながら説明する。なお、実施の形態１から２と同一のものは同一番号を付し、その詳細な説明を省略する。
【００４８】
図８は送風装置のフィルター目詰まり検知装置の構成を示す側面概略図である。
【００４９】
図８に示すように、集塵手段４の中央付近に遮蔽手段１５としてフィルム形状のポリエステルに金属薄膜を形成したものや偏光フィルターを設けている。遮蔽手段１５の有無を検知する検知手段８と、この検知手段８の検知信号により送風手段７を制御する制御手段９を設けている。
【００５０】
上記構成において、運転開始信号が制御手段９に送られると送風手段７に通電し送風手段７の運転を開始する。吸込口２から吸込まれた塵埃を含んだ空気は、集塵手段４により捕集される。塵埃を取り除かれた空気は、吹出口３から送風装置１外へ放出される。集塵手段４の遮蔽手段１５は、集塵手段４を通過する風量により吹出方向へ傾斜し、発光素子の光は遮断される。集塵手段４に塵埃が捕集され堆積して集塵手段４が目詰りすると、集塵手段４を通過する風量が低下し、遮蔽手段１５は吹出方向の傾斜角が小さくなる。遮蔽手段１５により発光素子の光が遮断されなくなれば、受光素子で受光し検知信号により制御手段９は送風手段７の運転を停止することができる。
【００５１】
（実施の形態４）
次に、本発明の実施の形態４について図面を参照しながら説明する。なお、実施の形態１から３と同一のものは同一番号を付し、その詳細な説明を省略する。
【００５２】
図９は送風装置のフィルター目詰まり検知装置のフローチャートである。
【００５３】
図９に示すように、図１から図８のいずれかの構成に加えて制御手段９にタイマー手段１６を付加したものである。
【００５４】
上記構成において、運転開始信号が制御手段９に送られると送風手段７に通電し送風手段７の運転を開始する。同時にタイマー手段１６がカウントを開始し、カウントアップ（例えば５分間）するまで検知手段８の検知信号に異常がないか判定を継続する。カウント中に検知手段８により異常が検知された場合、報知手段１２により報知することができる。また、カウントアップ後は運転継続し、常時報知手段１２に通電することなく、消費電力を低減することができる。
【００５５】
（実施の形態５）
次に、本発明の実施の形態５について図面を参照しながら説明する。なお、実施の形態１から４と同一のものは同一番号を付し、その詳細な説明を省略する。
【００５６】
図１０は送風装置のフィルター目詰まり検知装置のフローチャートである。
【００５７】
図１０に示すように、図１から図９のいずれかの構成に加えて送風手段７の運転の強／弱を比較する運転比較手段１７を付加したものである。
【００５８】
上記構成において、強運転すると検知手段８の検知信号に異常がないか判定を継続する。弱運転に切り換えた場合、検知手段８への通電を停止する。これにより、送風手段７の強運転するときにのみ検知手段８によりフィルターの目詰まりを検知することができる。
【産業上の利用可能性】
【００５９】
防塵装置等にも適用できる。
【符号の説明】
【００６０】
１    送風装置
２    吸込口
３    吹出口
４    集塵手段
５    フィルター枠
６    保持枠
７    送風手段
８    検知手段
９    制御手段
１０  受発光素子
１１  反射手段
１２  報知手段
１３  第２の報知手段
１４  検知膜
１５  遮蔽手段
１６  タイマー手段
１７  運転比較手段
【図１】
2011085335.tif 000003
【図２】
2011085335.tif 000004
【図３】
2011085335.tif 000005
【図４】
2011085335.tif 000006
【図５】
2011085335.tif 000007
【図６】
2011085335.tif 000008
【図７】
2011085335.tif 000009
【図８】
2011085335.tif 000010
【図９】
2011085335.tif 000011
【図１０】
2011085335.tif 000012
【図１１】
2011085335.tif 000013